(57)【要約】【課題】  各ルームの音声出力機能において、選択されたモードにおいて、制御する権限を管理する音声処理装置を提供する。【解決手段】  各モードに対応付けて、ルーム毎に、制御内容と、各ルームの音声出力機能を制御する権限を示す第１識別情報とが管理されている。ユーザ操作によって識別情報が入力され、かつ、１又は複数のモードの中から、ユーザ操作によって１つのモードが選択される。モード管理手段によって管理されている第１識別情報と入力された識別情報とが同じであるルームの音声出力機能については制御可能である。モード管理手段によって管理されている第１識別情報と入力された識別情報とが異なるルームの音声出力機能については制御不可能である。従って、状況に応じて、モードを選択するだけで、各ルームの音声出力機能を制御する権限を変更することができる。【選択図】図３
2013046265.tif 000002
【特許請求の範囲】
【請求項１】
セレクタが割り当てられる複数の音声入力端子と、
第１ルームに配置される第１ルームスピーカーに音声信号を出力する第１ルーム音声出力端子と、
第１ルーム用セレクタを選択する第１ルームセレクタ選択手段と、
選択された第１ルーム用セレクタに応じて、複数の前記音声入力端子からの音声信号の中から前記第１ルームスピーカーに出力する音声信号を選択する第１ルーム音声切換部と、
第２ルームに配置される第２ルームスピーカーに音声信号を出力する第２ルーム音声出力端子と、
第２ルーム用セレクタを選択する第２ルームセレクタ選択手段と、
選択された第２ルーム用セレクタに応じて、複数の前記音声入力端子からの音声信号の中から前記第２ルームスピーカーに出力する音声信号を選択する第２ルーム音声切換部と、
各モードに対応付けて、ルーム毎に、制御内容と、各ルームの音声出力機能を制御する権限を示す第１識別情報とを管理するモード管理手段と、
ユーザ操作によって識別情報が入力される識別情報入力手段と、
１又は複数のモードの中から、ユーザ操作によって１つのモードを選択するモード選択手段と、
モードが選択されたとき、選択されたモードに対応付けられている制御内容を各ルームの音声出力機能に対して実行する実行手段と、
選択されたモードにおいて、前記モード管理手段によって管理されている第１識別情報と入力された識別情報とが同じであるルームの音声出力機能については制御可能とし、前記モード管理手段によって管理されている第１識別情報と入力された識別情報とが異なるルームの音声出力機能については制御不可能とする制御手段とを備える、音声処理装置。
【請求項２】
前記モード管理手段が、各モードに対応付けて、モードを選択する権限を示す第２識別情報をさらに管理し、
前記モード選択手段が、入力された識別情報と前記第２識別情報とが同じである１又は複数のモードの中から、ユーザ操作によって１つのモードを選択する、請求項１に記載の音声処理装置。
【請求項３】
前記モード管理手段が、前記第１識別情報が同じであるルームについて、ユーザ操作によって一方のルームの制御内容を変更した場合に、他方のルームの制御内容も同じ制御内容に自動的に変更する、請求項１または２に記載の音声処理装置。
【請求項４】
請求項１〜３のいずれかに記載の音声処理装置に、
各モードに対応付けて、ルーム毎に、制御内容と、各ルームの音声出力機能を制御する権限を示す第１識別情報とを管理するモード管理ステップと、
ユーザ操作によって識別情報が入力される識別情報入力ステップと、
１又は複数のモードの中から、ユーザ操作によって１つのモードを選択するモード選択ステップと、
モードが選択されたとき、選択されたモードに対応付けられている制御内容を各ルームの音声出力機能に対して実行する実行ステップと、
選択されたモードにおいて、前記モード管理ステップによって管理されている第１識別情報と入力された識別情報とが同じであるルームの音声出力機能については制御可能とし、前記モード管理ステップによって管理されている第１識別情報と入力された識別情報とが異なるルームの音声出力機能については制御不可能とする制御ステップとをコンピュータに実行させる、音声処理プログラム。
【発明の詳細な説明】
【技術分野】
【０００１】
本発明は、第１ルームおよび第２ルームに音声信号を出力する音声処理装置に関する。
【背景技術】
【０００２】
ＡＶアンプは、メインルームに配置されるメインスピーカーに対して音声信号を供給する。メインスピーカーに供給する音声信号を選択するため、メインルーム用セレクタがユーザ操作によって選択される。また、ＡＶアンプは、ＺＯＮＥ２ルームに配置されるＺＯＮＥ２スピーカーに音声信号を供給する。ＺＯＮＥ２スピーカーに供給する音声信号を選択するために、ＺＯＮＥ２ルーム用のセレクタがユーザ操作によって選択される。ＺＯＮＥ３ルーム等、その他のルームに音声信号を供給する場合も同様である。
【０００３】
従来のＡＶアンプにおいては、メインルーム、ＺＯＮＥ２ルームの各々に関して、個別にセレクタを切り替える処理は非常に煩雑であるという問題がある。また、家庭内で複数のユーザによってＡＶアンプが操作される場合、ある人がメインルーム又はＺＯＮＥ２ルームのセレクタを変更して音楽を聴取している際に、誤って別の人によってメインルーム又はＺＯＮＥ２ルームのセレクタが変更されてしまうと、音楽を聴取している人に不快感を与えてしまうという問題がある。
【０００４】
下記特許文献１には、シーンが選択された場合に、各ルームの音声出力機能を一斉に制御する技術が記載されている。しかし、特許文献１には、ある人がメインルーム又はＺＯＮＥ２ルームのセレクタを変更して音楽を聴取している際に、誤って別の人によってメインルーム又はＺＯＮＥ２ルームのセレクタが変更されてしまうと、音楽を聴取している人に不快感を与えてしまうというという課題を解決する技術については何ら開示されていない。
【先行技術文献】
【特許文献】
【０００５】
【特許文献１】特開２００８−１９３５６８号公報
【発明の概要】
【発明が解決しようとする課題】
【０００６】
本発明は上記従来の課題を解決するためになされたものであり、各ルームの音声出力機能において、選択されたモードにおいて、制御する権限を管理する音声処理装置を提供することである。
【課題を解決するための手段】
【０００７】
本発明の好ましい実施形態による音声処理装置は、セレクタが割り当てられる複数の音声入力端子と、第１ルームに配置される第１ルームスピーカーに音声信号を出力する第１ルーム音声出力端子と、第１ルーム用セレクタを選択する第１ルームセレクタ選択手段と、選択された第１ルーム用セレクタに応じて、複数の前記音声入力端子からの音声信号の中から前記第１ルームスピーカーに出力する音声信号を選択する第１ルーム音声切換部と、第２ルームに配置される第２ルームスピーカーに音声信号を出力する第２ルーム音声出力端子と、第２ルーム用セレクタを選択する第２ルームセレクタ選択手段と、選択された第２ルーム用セレクタに応じて、複数の前記音声入力端子からの音声信号の中から前記第２ルームスピーカーに出力する音声信号を選択する第２ルーム音声切換部と、各モードに対応付けて、ルーム毎に、制御内容と、各ルームの音声出力機能を制御する権限を示す第１識別情報とを管理するモード管理手段と、ユーザ操作によって識別情報が入力される識別情報入力手段と、１又は複数のモードの中から、ユーザ操作によって１つのモードを選択するモード選択手段と、モードが選択されたとき、選択されたモードに対応付けられている制御内容を各ルームの音声出力機能に対して実行する実行手段と、選択されたモードにおいて、前記モード管理手段によって管理されている第１識別情報と入力された識別情報とが同じであるルームの音声出力機能については制御可能とし、前記モード管理手段によって管理されている第１識別情報と入力された識別情報とが異なるルームの音声出力機能については制御不可能とする制御手段とを備える。
【０００８】
本実施形態においては、各モードに対応付けて、ルーム毎に、制御内容と、各ルームの音声出力機能を制御する権限を示す第１識別情報とが管理されている。ユーザ操作によって識別情報が入力され、かつ、１又は複数のモードの中から、ユーザ操作によって１つのモードが選択される。モード管理手段によって管理されている第１識別情報と入力された識別情報とが同じであるルームの音声出力機能については制御可能である。モード管理手段によって管理されている第１識別情報と入力された識別情報とが異なるルームの音声出力機能については制御不可能である。従って、状況に応じて、モードを選択するだけで、各ルームの音声出力機能を制御する権限を変更することができる。
【０００９】
好ましい実施形態においては、前記モード管理手段が、各モードに対応付けて、モードを選択する権限を示す第２識別情報をさらに管理し、前記モード選択手段が、入力された識別情報と前記第２識別情報とが同じである１又は複数のモードの中から、ユーザ操作によって１つのモードを選択する。
【００１０】
この場合、モードを選択する権限が管理されているので、権限のない人に勝手にモードを選択されてしまうことを防止することができる。
【００１１】
好ましい実施形態においては、前記モード管理手段が、前記第１識別情報が同じであるルームについて、ユーザ操作によって一方のルームの制御内容を変更した場合に、他方のルームの制御内容も同じ制御内容に自動的に変更する。
【００１２】
この場合、モード管理手段におけるユーザ操作による管理内容の変更作業を簡易化することができる。
【発明の効果】
【００１３】
各ルームの音声出力機能において、選択されたモードにおいて、制御する権限を管理する音声処理装置を提供することができる。
【図面の簡単な説明】
【００１４】
【図１】本発明の好ましい実施形態による音声処理装置の構成を示すブロック図である。
【図２】音声入力端子とセレクタとの関係を示す図である。
【図３】モードテーブルを示す図である。
【図４】音声処理装置の動作を示すフローチャートである。
【図５】音声処理装置の動作を示すフローチャートである。
【図６】音声処理装置の動作を示すフローチャートである。
【図７】音声処理装置の動作を示すフローチャートである。
【図８】音声処理装置の動作を示すフローチャートである。
【図９】音声処理装置の動作を示すフローチャートである。
【図１０】音声処理装置の動作を示すフローチャートである。
【図１１】音声処理装置の動作を示すフローチャートである。
【図１２】モードテーブルを示す図である。
【図１３】音声処理装置の動作を示すフローチャートである。
【図１４】モードテーブルを示す図である。
【図１５】音声処理装置の動作を示すフローチャートである。
【発明を実施するための形態】
【００１５】
以下、本発明の好ましい実施形態による音声処理装置について、図面を参照して具体的に説明するが、本発明はこれらの実施形態には限定されない。図１は、ＡＶアンプ１およびリモコン送信機５０（これらを総称し、音声処理装置という。）を示す概略ブロック図である。
【００１６】
ＡＶアンプ１、リモコン送信機５０、ＤＶＤプレーヤ１００Ａ、ＣＤプレーヤ１００Ｂ、ＴＶ受信機１００Ｃ、ラジオ受信機１００Ｄ、および、メインスピーカー２００Ａは、メインルーム（第１ルーム）に配置されている。ＺＯＮＥ２スピーカー２００Ｂは、ＺＯＮＥ２ルーム（第２ルーム）に配置されている。ＺＯＮＥ３スピーカー２００Ｃは、ＺＯＮＥ３ルーム（第３ルーム）に配置されている。なお、ＡＶアンプ１では、映像信号が入力され、映像信号をディスプレイに供給することができるが、説明を簡単化するために音声信号を出力する構成のみを記載する。
【００１７】
ＡＶアンプ１は、音声入力端子（アナログ音声入力端子および／またはデジタル音声入力端子）ＩＮ１、ＩＮ２、ＩＮ３、ＩＮ４を備える。
【００１８】
ＡＶアンプ１には、コンテンツ再生装置であるＤＶＤプレーヤ１００Ａ、ＣＤプレーヤ１００Ｂ、ＴＶ受信機１００Ｃ、ラジオ受信機１００Ｄが接続されている。ＤＶＤプレーヤ１００Ａの音声出力端子は、例えば、音声入力端子ＩＮ１に接続されている。ＣＤプレーヤ１００Ｂの音声出力端子は、例えば、音声入力端子ＩＮ２に接続されている。ＴＶ受信機１００Ｃの音声出力端子は、例えば、音声入力端子ＩＮ３に接続されている。ラジオ受信機１００Ｄの音声出力端子は、例えば、音声入力端子ＩＮ４に接続されている。
【００１９】
ＡＶアンプ１は、（メイン用）スピーカー出力端子ＯＵＴ１、（ＺＯＮＥ２用）スピーカー出力端子ＯＵＴ２、（ＺＯＮＥ３用）スピーカー出力端子ＯＵＴ３を備える。
【００２０】
メインスピーカー２００Ａは、スピーカー出力端子ＯＵＴ１に接続されている。特に限定されないが、メインスピーカーは、５．１チャンネル（例えば、前方左音声信号ＦＬ、前方右音声信号ＦＲ、中央音声信号Ｃ、サラウンド左音声信号ＳＬ、サラウンド右音声信号ＳＲ、サブウーファ音声信号ＳＷ）分または７．１チャンネル分のスピーカーを含む。ＺＯＮＥ２スピーカー２００Ｂは、スピーカー出力端子ＯＵＴ２に接続されている。ＺＯＮＥ３スピーカー２００Ｃは、スピーカー出力端子ＯＵＴ３に接続されている。特に限定されないが、ＺＯＮＥ２スピーカーおよびＺＯＮＥ３スピーカーは、２チャンネル（例えば、前方左音声信号ＦＬ、前方右音声信号ＦＲ）分のスピーカーを含む。
【００２１】
ＡＶアンプ１は、（メイン用）音声切換部２と、増幅部３と、（ＺＯＮＥ２用）音声切換部４と、増幅部５と、（ＺＯＮＥ３用）音声切換部６と、増幅部７と、制御部８と、メモリ（ＲＯＭ、ＲＡＭ、フラッシュメモリなど）９と、表示部１０と、操作部１１と、リモコン受信部１２とを概略備えている。
【００２２】
図２に示すように、各音声入力端子ＩＮ１〜ＩＮ４は、各セレクタに割り当てられている。音声入力端子ＩＮ１はＤＶＤセレクタに割り当てられ、音声入力端子ＩＮ２はＣＤセレクタに割り当てられ、音声入力端子ＩＮ３はＴＶセレクタに割り当てられ、音声入力端子ＩＮ４はラジオセレクタに割り当てられている。メインルームのセレクタとしてＤＶＤセレクタが選択されると、メインスピーカー２００Ａへの音声出力経路として、ＤＶＤセレクタに割り当てられている音声入力端子ＩＮ１が選択される。ＺＯＮＥ２ルームのセレクタとしてＣＤセレクタが選択されると、ＺＯＮＥ２スピーカー２００Ｂへの音声出力経路として、ＣＤセレクタに割り当てられている音声入力端子ＩＮ２が選択される。ＺＯＮＥ３ルームのセレクタとしてラジオセレクタが選択されると、ＺＯＮＥ３スピーカー２００Ｃへの音声出力経路として、ラジオセレクタに割り当てられている音声入力端子ＩＮ４が選択される。なお、セレクタの割当ては、ユーザ操作によって任意に変更および設定可能である。
【００２３】
音声切換部２は、メインスピーカー２００Ａ用の音声切換部である。音声切換部２は、音声入力端子ＩＮ１〜ＩＮ４に入力された音声信号の中から、ユーザ操作に応じて選択されたメインセレクタに割り当てられている音声入力端子からの音声信号を選択し、増幅部３に供給する。増幅部３は、音声切換部２から供給された音声信号を増幅し、ユーザ操作によって設定されたメイン用の音量に調整し、スピーカー出力端子ＯＵＴ１からメインスピーカー２００Ａに音声信号を出力する。
【００２４】
音声切換部４は、ＺＯＮＥ２スピーカー２００Ｂ用の音声切換部である。音声切換部４は、音声入力端子ＩＮ１〜ＩＮ４に入力された音声信号の中から、ユーザ操作に応じて選択されたＺＯＮＥ２セレクタに割り当てられている音声入力端子からの音声信号を選択し、増幅部５に供給する。増幅部５は、音声切換部４から供給された音声信号を増幅し、ユーザ操作によって設定されたＺＯＮＥ２用の音量に調整し、スピーカー出力端子ＯＵＴ２からＺＯＮＥ２スピーカー２００Ｂに音声信号を出力する。
【００２５】
音声切換部６は、ＺＯＮＥ３スピーカー２００Ｃ用の音声切換部である。音声切換部６は、音声入力端子ＩＮ１〜ＩＮ４に入力された音声信号の中から、ユーザ操作に応じて選択されたＺＯＮＥ３セレクタに割り当てられている音声入力端子からの音声信号を選択し、増幅部７に供給する。増幅部７は、音声切換部６から供給された音声信号を増幅し、ユーザ操作によって設定されたＺＯＮＥ３用の音量に調整し、スピーカー出力端子ＯＵＴ３からＺＯＮＥ３スピーカー２００Ｃに音声信号を出力する。
【００２６】
制御部８は、メモリ（ＲＯＭ）９に格納されているＡＶアンプ１の動作プログラムに基づいて、ＡＶアンプ１の各部を制御するものであり、マイコンやＣＰＵ等である。表示部１０は、設定画面、選択されているセレクタ、音量などを表示するものであり、ＬＣＤ（液晶ディスプレイ）やＦＬ管等である。操作部１１は、ユーザ操作を受け付けるものであり、ＡＶアンプ１の筐体に設けられた操作ボタンである。リモコン受信部１２は、リモコン送信機５０からのリモコンコードを受信し、制御部８に供給する。
【００２７】
リモコン送信機５０は、ユーザ操作を受け付け、ユーザ操作に基づくリモコンコードをＡＶアンプ１に送信する。リモコン送信機５０は、制御部５１と、メモリ（ＲＯＭ、ＲＡＭ、フラッシュメモリ）５２と、操作部５３と、送信部５４とを備える。
【００２８】
制御部５１は、メモリ５２に格納されているプログラムに基づいてリモコン送信機５４の動作を制御するものである。操作部５３は、ユーザ操作を受け付けるものであり、各ルームの音声出力機能について、セレクタを変更するボタンや、音量を調整するボタン等の操作ボタンを含む。また、操作部５３は、モードを変更するためのモード選択ボタンや、識別情報（以下、ＩＤという。）を入力するためのボタンが存在する。制御部５１は、操作部５３のユーザ操作に基づいて、ＡＶアンプ１に送信するリモコンコードを特定し、メモリ５２から読み出して、送信部５４からリモコンコードを送信する。
【００２９】
メモリ５２には図３に示すモードテーブルが格納されている。モードとは、各ルームの音声出力機能を包括的に制御し（例えば、入力セレクタを包括的に切り替え）、かつ、各ルームの音声出力機能に関する制御を実行可能な権限を一斉に設定登録するものである。モードテーブルは、ＡＶアンプ１の出荷時は何も登録されておらず、ユーザ操作によって新たに設定登録される。モードテーブルは、各モードに対応付けて、モードを選択可能な権限（モード権限という。）と、各ルームの制御内容（例えば切り替えるべきセレクタ）と、各ルームの制御を実行可能な権限とを管理する。権限は、図３の例では「Ｄａｄ」、「Ｍａｍ」、「Ｋｉｄ」といった家族の構成員の名前（ユーザ名）や、家族の全員が操作可能であることを示す「Ｆａｍｉｌｙ」が登録される。なお、実際には、権限は、名前の代わりに個人のＩＤが登録可能になっている。
【００３０】
例えば、Ｄｉｎｎｅｒ  Ｍｏｄｅは、モード権限がＦａｍｉｌｙであるので、全ＩＤのいずれをリモコン送信機５０に入力設定した場合でも、選択することができる。
Ｄｉｎｎｅｒ  Ｍｏｄｅが選択されると、メインルームの音声出力機能として、入力セレクタがＴＶセレクタに変更され、メインルームの音声出力機能を制御できる権限として「Ｋｉｄ」が設定登録される。従って、メインルームの音声出力機能において、セレクタの変更や音量の調整といった制御を、ＫｉｄのＩＤをリモコン送信機５０に入力設定した場合のみ実行することができる。
【００３１】
また、Ｄｉｎｎｅｒ  Ｍｏｄｅが選択されると、ＺＯＮＥ２ルームの音声出力機能として、入力セレクタがＣＤセレクタに変更され、ＺＯＮＥ２ルームの音声出力機能を制御できる権限として「Ｆａｍｉｌｙ」が設定登録される。従って、ＺＯＮＥ２ルームの音声出力機能において、セレクタの変更や音量の調整といった制御を家族全員のいずれのＩＤをリモコン送信機５０に入力設定した場合でも実行することができる。
【００３２】
また、Ｄｉｎｎｅｒ  Ｍｏｄｅが選択されると、ＺＯＮＥ３ルームの音声出力機能として、入力セレクタがラジオセレクタに変更され、ＺＯＮＥ３ルームの音声出力機能を制御できる権限として「Ｍａｍ」が設定登録される。従って、ＺＯＮＥ３ルームの音声出力機能において、セレクタの変更や音量の調整といった制御を、ＭａｍのＩＤをリモコン送信機５０に入力設定した場合のみ実行することができる。
【００３３】
例えば、Ｓｔｕｄｙ  Ｍｏｄｅは、モード権限がＭａｍであるので、ＭａｍのＩＤをリモコン送信機５０に入力設定した場合のみ、選択することができる。
Ｓｔｕｄｙ  Ｍｏｄｅが選択されると、メインルームの音声出力機能として、入力セレクタが変更されず（Ｒｅｍａｉｎ）、メインルームの音声出力機能を制御できる権限として「Ｍａｍ」が設定登録される。従って、メインルームの音声出力機能において、セレクタの変更や音量の調整を、ＭａｍのＩＤをリモコン送信機５０に入力設定した場合のみ実行することができる。このように、セレクタを現在選択されているセレクタから変更せずに、権限だけを変更することも可能である。
【００３４】
また、Ｓｔｕｄｙ  Ｍｏｄｅが選択されると、ＺＯＮＥ３ルームの音声出力機能として、電源状態がオン状態からスタンバイ状態に移行され（ＯＦＦ）、ＺＯＮＥ３ルームの音声出力機能を制御できる権限として「なし」が設定登録される。従って、ＺＯＮＥ３ルームの音声出力機能において、セレクタの変更や音量の調整を、家族のどのＩＤをリモコン送信機５０に入力設定した場合であっても実行することができないようになる。
【００３５】
なお、１つのリモコン送信機５０を家族全員で共有し、その都度ＩＤを入力設定して使用する方法の他、家族の構成員の各々が、専用のリモコン送信機を所有し、自身のＩＤをリモコン送信機５０に入力設定しておいてもよい。この場合、その都度、ＩＤをリモコン送信機５０に入力する必要がない。
【００３６】
以上の構成を有するＡＶアンプ１およびリモコン送信機５０についてその動作を説明する。図４は、リモコン送信機５０のモード選択処理を示すフローチャートである。リモコン送信機５０の制御部５１は、ユーザ操作によってＩＤが入力されたか否かを判断している（Ｓ１）。入力された場合（Ｓ１でＹＥＳ）、制御部５１は、入力されたＩＤで選択可能な１又は複数のモードをモードテーブルから読み出して、例えば図示しない表示部に表示し、ユーザに１つのモードを選択させる（Ｓ２）。
【００３７】
例えば、「Ｄａｄ」のＩＤが入力された場合、モードテーブルのモード権限がＤａｄ又はＦａｍｉｌｙであるモードとして、「Ｐａｒｔｙ  Ｍｏｄｅ」、「Ｍｏｒｎｉｎｇ  Ｍｏｄｅ」、「Ｄｉｎｎｅｒ  Ｍｏｄｅ」、「Ｎｉｇｈｔ  Ｍｏｄｅ」、「Ｒｅｌａｘ  Ｍｏｄｅ」が選択可能となる。これらのモードの中から、ユーザ操作によって１つのモードが選択される。
【００３８】
制御部５２は、モードがユーザ操作によって選択されたか否かを判断する（Ｓ３）。選択された場合（Ｓ３でＹＥＳ）、選択されたモードにおいて、モードテーブル内のメインルームの音声出力機能におけるセレクタの項目内容を判別する（Ｓ４）。セレクタの項目にセレクタの名称（ＤＶＤ、ＣＤ、ＴＶ、ラジオ等）が登録されている場合（Ｓ４でセレクタ）、制御部５１は、メインルームのセレクタを登録されているセレクタに変更するリモコンコードをＡＶアンプ１に送信する（Ｓ５）。例えば、Ｒｅｌａｘ  Ｍｏｄｅが選択された場合、メインルームのセレクタをＣＤセレクタに変更するリモコンコードが出力される。
【００３９】
セレクタの項目に「ＯＦＦ」が登録されている場合（Ｓ４でＯＦＦ）、制御部５１は、メインルームの音声出力機能を電源オン状態からスタンバイ状態に移行させるリモコンコードをＡＶアンプ１に送信する（Ｓ６）。なお、セレクタの項目に「Ｒｅｍａｉｎ」が登録されている場合、制御部５１は、何もリモコンコードを出力しない。
【００４０】
制御部５１は、メインルームの音声出力機能を制御可能な権限のＩＤを含むリモコンコードをＡＶアンプ１に送信する（Ｓ７）。例えば、Ｒｅｌａｘ  Ｍｏｄｅが選択された場合、メインルームの音声出力機能を制御できる権限として「Ｄａｄ」のＩＤが出力される。
【００４１】
続いて、選択されたモードにおいて、モードテーブル内のＺＯＮＥ２ルームの音声出力機能におけるセレクタの項目内容を判別する（Ｓ８）。セレクタの項目にセレクタの名称（ＤＶＤ、ＣＤ、ＴＶ、ラジオ等）が登録されている場合（Ｓ８でセレクタ）、制御部５１は、ＺＯＮＥ２ルームのセレクタを登録されているセレクタに変更するリモコンコードをＡＶアンプ１に送信する（Ｓ９）。例えば、Ｄｉｎｎｅｒ  Ｍｏｄｅが選択された場合、ＺＯＮＥ２ルームのセレクタをＣＤセレクタに変更するリモコンコードが出力される。
【００４２】
セレクタの項目に「ＯＦＦ」が登録されている場合（Ｓ８でＯＦＦ）、制御部５１は、メインルームの音声出力機能を電源オン状態からスタンバイ状態に移行させるリモコンコードをＡＶアンプ１に送信する（Ｓ１０）。例えば、Ｎｉｇｈｔ  Ｍｏｄｅが選択された場合、メインルームの音声出力機能を電源オン状態からスタンバイ状態に移行させるリモコンコードが出力される。なお、セレクタの項目に「Ｒｅｍａｉｎ」が登録されている場合、制御部５１は、何もリモコンコードを出力しない。
【００４３】
続いて、制御部５１は、ＺＯＮＥ２ルームの音声出力機能を制御可能な権限のＩＤを含むリモコンコードをＡＶアンプ１に送信する（Ｓ１１）。例えば、Ｄｉｎｎｅｒ  Ｍｏｄｅが選択された場合、メインルームの音声出力機能を制御できる権限として「Ｆａｍｉｌｙ」のＩＤ（つまり、家族全員の各ＩＤ）が出力される。
【００４４】
図５、図６は、ＡＶアンプ１の制御部８の処理を示すフローチャートである。図５に示すように、制御部８は、メインルームの音声出力機能のセレクタを変更するリモコンコードを受信したか否かを判断する（Ｓ２１）。受信しない場合（Ｓ２１でＮＯ）、処理はＳ２３へと進む。受信した場合（Ｓ２１でＹＥＳ）、制御部８は、受信したリモコンコードに含まれているセレクタに、メインルームのセレクタを変更する（Ｓ２２）。例えば、ＣＤセレクタに変更するリモコンコードを受信した場合、メインルームのセレクタがＣＤセレクタに変更される。
【００４５】
制御部８は、メインルームの音声出力機能をスタンバイ状態に移行させるリモコンコードを受信したか否かを判断する（Ｓ２３）。受信しない場合（Ｓ２３でＮＯ）、処理はＳ２５に進む。受信した場合（Ｓ２３でＹＥＳ）、制御部８は、メインルームの音声出力機能を電源オン状態からスタンバイ状態に移行させる（Ｓ２４）。つまり、メインルームの音声出力に使用している回路部分に電源電圧の供給を遮断する。
【００４６】
制御部８は、メインルームの音声出力機能を制御する権限のＩＤを含むリモコンコードを受信したか否かを判断する（Ｓ２５）。受信しない場合（Ｓ２５でＮＯ）、処理はＳ２１に戻る。受信した場合（Ｓ２５でＹＥＳ）、制御部８は、メインルームの音声出力機能を制御する権限のＩＤを設定する。例えば、権限のＩＤとしてＭａｍのＩＤを受信した場合、メインルームのセレクタや音量調整等を操作することができるのは、ＭａｍのＩＤを含むリモコンコードのみとなる。
【００４７】
図６に示すように、制御部８は、ＺＯＮＥ２ルームの音声出力機能のセレクタを変更するリモコンコードを受信したか否かを判断する（Ｓ３１）。受信しない場合（Ｓ３１でＮＯ）、処理はＳ３３へと進む。受信した場合（Ｓ３１でＹＥＳ）、制御部８は、受信したリモコンコードに含まれているセレクタに、ＺＯＮＥ２ルームのセレクタを変更する（Ｓ３２）。例えば、ＣＤセレクタに変更するリモコンコードを受信した場合、ＺＯＮＥ２ルームのセレクタがＣＤセレクタに変更される。
【００４８】
制御部８は、ＺＯＮＥ２ルームの音声出力機能をスタンバイ状態に移行させるリモコンコードを受信したか否かを判断する（Ｓ３３）。受信しない場合（Ｓ３３でＮＯ）、処理はＳ３５に進む。受信した場合（Ｓ３３でＹＥＳ）、制御部８は、ＺＯＮＥ２ルームの音声出力機能を電源オン状態からスタンバイ状態に移行させる（Ｓ３４）。つまり、ＺＯＮＥ２ルームの音声出力機能に使用している回路部分に電源電圧の供給を遮断する。
【００４９】
制御部８は、ＺＯＮＥ２ルームの音声出力機能を制御する権限のＩＤを含むリモコンコードを受信したか否かを判断する（Ｓ３５）。受信しない場合（Ｓ３５でＮＯ）、処理はＳ３１に戻る。受信した場合（Ｓ３５でＹＥＳ）、制御部８は、ＺＯＮＥ２ルームの音声出力機能を制御する権限のＩＤを設定する。例えば、権限のＩＤとしてＤａｄのＩＤを受信した場合、ＺＯＮＥ２ルームのセレクタや音量調整等を操作することができるのは、ＤａｄのＩＤを含むリモコンコードのみとなる。なお、ＺＯＮＥ３についても図６と同様の処理が実行される。
【００５０】
なお、モードが選択された際に各ルームの音声出力機能を包括的に制御する制御内容として、セレクタの変更や、電源をスタンバイに移行させる他に、音量調整、再生開始、再生停止などでもよく、これらの制御内容の複数の組合わせであってもよい。
【００５１】
図７は、選択されたモードにおいて、各ルームの音声出力機能を制御する際のリモコン送信機５０の処理を示す。リモコン送信機５０の制御部５１は、ユーザ操作によって、ＩＤが入力設定されたか否かを判断する（Ｓ４１）。入力された場合（Ｓ４１でＹＥＳ）、制御部５１は、ユーザ操作によって、メインルームの音声出力機能を制御する指示が入力されたか否かを判断する（Ｓ４２）。例えば、メインルームのセレクタを変更する指示や、メインルームの音量を調整する指示が入力されたか否かが判断される。入力されない場合（Ｓ４２でＮＯ）、処理はＳ４４に進む。入力された場合（Ｓ４２でＹＥＳ）、制御部５１は、Ｓ４１で入力設定されたＩＤと、メインルームの音声出力機能を制御するリモコンコードとをＡＶアンプ１に送信する（Ｓ４３）。
【００５２】
制御部５１は、ユーザ操作によって、ＺＯＮＥ２ルームの音声出力機能を制御する指示が入力されたか否かを判断する（Ｓ４４）。例えば、ＺＯＮＥ２ルームのセレクタを変更する指示や、ＺＯＮＥ２ルームの音量を調整する指示が入力されたか否かが判断される。入力されない場合（Ｓ４４でＮＯ）、処理はＳ４２に戻る。入力された場合（Ｓ４４でＹＥＳ）、制御部５１は、Ｓ４１で入力設定されたＩＤと、ＺＯＮＥ２ルームの音声出力機能を制御するリモコンコードとをＡＶアンプ１に送信する（Ｓ４５）。なおＺＯＮＥ３についても同様である。
【００５３】
図８は、図７に対応するＡＶアンプ１の制御部８の処理を示すフローチャートである。制御部８は、リモコン送信機５０から、ＩＤとメインルームを制御するリモコンコードとを受信したか否かを判断する（Ｓ５１）。受信した場合（Ｓ５１でＹＥＳ）、制御部８は、受信したＩＤがメインルームを制御可能な権限のＩＤとして設定登録されているか否かを判断する（Ｓ５２）。例えば、現在のモードがＲｅｌａｘ  Ｍｏｄｅの場合、メインルームの音声出力機能を制御する権限は「Ｄａｄ」のＩＤに設定登録されている。従って、受信したＩＤが「Ｄａｄ」のＩＤであれば、メインルームを制御可能な権限のＩＤであると判断され、それ以外のＩＤであれば、メインルームを制御可能な権限のＩＤではないと判断される。
【００５４】
メインルームを制御可能な権限のＩＤであると判断された場合（Ｓ５２でＹＥＳ）、制御部５２は、リモコンコードに基づく処理をメインルームの音声出力機能に対して実行する（Ｓ５３）。例えば、メインルームのセレクタをＤＶＤセレクタに変更するリモコンコードの場合、メインルームのセレクタがＤＶＤセレクタに変更される。一方、メインルームを制御可能な権限のＩＤではないと判断された場合（Ｓ５２でＮＯ）、制御部８は、表示部にエラーのメッセージを表示し、リモコンコードに基づく処理を実行しない（Ｓ５４）。
【００５５】
制御部８は、リモコン送信機５０から、ＩＤとＺＯＮＥ２ルームを制御するリモコンコードとを受信したか否かを判断する（Ｓ５５）。受信した場合（Ｓ５５でＹＥＳ）、制御部８は、受信したＩＤがＺＯＮＥ２ルームを制御可能な権限のＩＤとして設定登録されているか否かを判断する（Ｓ５６）。例えば、現在のモードがＷｅｅｋｄａｙ  Ｍｏｄｅの場合、ＺＯＮＥ２ルームの音声出力機能を制御する権限は「Ｍａｍ」のＩＤに設定登録されている。従って、受信したＩＤが「Ｍａｍ」のＩＤであれば、ＺＯＮＥ２ルームを制御可能な権限のＩＤであると判断され、それ以外のＩＤであれば、ＺＯＮＥ２ルームを制御可能な権限のＩＤではないと判断される。
【００５６】
ＺＯＮＥ２ルームを制御可能な権限のＩＤであると判断された場合（Ｓ５６でＹＥＳ）、制御部８は、リモコンコードに基づく処理をＺＯＮＥ２ルームの音声出力機能に対して実行する（Ｓ５７）。例えば、ＺＯＮＥ２ルームのセレクタをＣＤセレクタに変更するリモコンコードの場合、ＺＯＮＥ２ルームのセレクタがＣＤセレクタに変更される。一方、ＺＯＮＥ２ルームを制御可能な権限のＩＤではないと判断された場合（Ｓ５６でＮＯ）、制御部８は、表示部にエラーのメッセージを表示し、リモコンコードに基づく処理を実行しない（Ｓ５８）。
【００５７】
以上のように、本実施形態によると、モードを変更することによって、各ルームの音声出力機能を包括的に制御することができ、かつ、各ルームの音声出力機能を制御する権限のＩＤをＡＶアンプ１に登録することができる。従って、各ルームの音声出力機能を制御する権限のＩＤが入力設定されたリモコン送信機５０のみから、各ルームの音声出力機能を制御することができる。
【００５８】
なお、ＡＶアンプ１に各ルームの音声出力機能を制御する権限のＩＤを登録する代わりに、リモコン送信機５０の制御部５１が、現在選択されているモードと入力されたＩＤとを対比して、ＡＶアンプ１にリモコンコードを送信するか否かを判断するようにしてもよい。
【００５９】
図９は、リモコン送信機５０の当該処理を示すフローチャートである。リモコン送信機５０の制御部５１は、ユーザ操作によって、ＩＤが入力設定されたか否かを判断する（Ｓ６１）。入力された場合（Ｓ６１でＹＥＳ）、制御部５１は、ユーザ操作によって、メインルームの音声出力機能を制御する指示が入力されたか否かを判断する（Ｓ６２）。例えば、メインルームのセレクタを変更する指示や、メインルームの音量を調整する指示が入力されたか否かが判断される。入力されない場合（Ｓ６２でＮＯ）、処理はＳ６５に進む。入力された場合（Ｓ６２でＹＥＳ）、制御部５１は、現在選択されているモードにおいて、Ｓ６１で入力設定されたＩＤがメインルームの音声出力機能を制御可能か否か判断する（Ｓ６３）。例えば、現在のモードがＲｅｌａｘ  Ｍｏｄｅの場合、メインルームの音声出力機能を制御する権限は「Ｄａｄ」のＩＤに設定登録されている。従って、ＩＤが「Ｄａｄ」のＩＤであれば、メインルームを制御可能な権限のＩＤであると判断され、それ以外のＩＤであれば、メインルームを制御可能な権限のＩＤではないと判断される。
【００６０】
メインルームを制御可能な権限のＩＤではない場合（Ｓ６３でＮＯ）、例えばリモコン送信機５０の表示部にエラーを表示し、メインルームの音声出力機能を制御するリモコンコードを出力することなく、処理はＳ６５に進む。一方、メインルームを制御可能な権限のＩＤである場合（Ｓ６３でＹＥＳ）、制御部５１は、メインルームの音声出力機能を制御するリモコンコードをＡＶアンプ１に送信する（Ｓ６４）。
【００６１】
制御部５１は、ユーザ操作によって、ＺＯＮＥ２ルームの音声出力機能を制御する指示が入力されたか否かを判断する（Ｓ６５）。例えば、ＺＯＮＥ２ルームのセレクタを変更する指示や、ＺＯＮＥ２ルームの音量を調整する指示が入力されたか否かが判断される。入力されない場合（Ｓ６５でＮＯ）、処理はＳ６２に戻る。入力された場合（Ｓ６５でＹＥＳ）、制御部５１は、現在選択されているモードにおいて、Ｓ６１で入力設定されたＩＤがＺＯＮＥ２ルームの音声出力機能を制御可能か否か判断する（Ｓ６６）。例えば、現在のモードがＷｅｅｋｄａｙ  Ｍｏｄｅの場合、ＺＯＮＥ２ルームの音声出力機能を制御する権限は「Ｍａｍ」のＩＤに設定登録されている。従って、受信したＩＤが「Ｍａｍ」のＩＤであれば、ＺＯＮＥ２ルームを制御可能な権限のＩＤであると判断され、それ以外のＩＤであれば、ＺＯＮＥ２ルームを制御可能な権限のＩＤではないと判断される。
【００６２】
ＺＯＮＥ２ルームを制御可能な権限のＩＤではない場合（Ｓ６６でＮＯ）、例えばリモコン送信機５０の表示部にエラーを表示し、ＺＯＮＥ２ルームの音声出力機能を制御するリモコンコードを出力せずに、処理はＳ６２に戻る。一方、ＺＯＮＥ２ルームを制御可能な権限のＩＤである場合（Ｓ６６でＹＥＳ）、制御部５１は、ＺＯＮＥ２ルームの音声出力機能を制御するリモコンコードをＡＶアンプ１に送信する（Ｓ６７）。なおＺＯＮＥ３についても同様である。この場合、ＡＶアンプ１側でＩＤを管理しておく必要がないという効果が得られる。
【００６３】
次に、本発明の別の好ましい実施形態を説明する。本実施形態では、リモコン送信機５０がモードテーブルを記憶するのではなく、ＡＶアンプ１がモードテーブルをメモリに記憶し、ＡＶアンプ１の操作部を介してユーザがモードを選択し、ＩＤを入力する操作を実行する。従って、ＡＶアンプ１の操作部に、モードを選択するボタンや、ＩＤを入力するボタンが設けられている。図１０は、ＡＶアンプ１の制御部８の処理を示すフローチャートである。
【００６４】
ＡＶアンプ１の制御部８は、ユーザ操作によってＩＤが入力されたか否かを判断している（Ｓ７１）。入力された場合（Ｓ７１でＹＥＳ）、制御部８は、入力されたＩＤで選択可能な１又は複数のモードをモードテーブルから読み出して、例えば図示しない表示部に表示し、ユーザに１つのモードを選択させる（Ｓ７２）。
【００６５】
制御部８は、モードがユーザ操作によって選択されたか否かを判断する（Ｓ７３）。選択された場合（Ｓ７３でＹＥＳ）、選択されたモードにおいて、モードテーブル内のメインルームの音声出力機能におけるセレクタの項目内容を判別する（Ｓ７４）。セレクタの項目にセレクタの名称（ＤＶＤ、ＣＤ、ＴＶ、ラジオ等）が登録されている場合（Ｓ７４でセレクタ）、制御部８は、メインルームのセレクタを登録されているセレクタに変更する（Ｓ７５）。例えば、Ｒｅｌａｘ  Ｍｏｄｅが選択された場合、メインルームのセレクタがＣＤセレクタに変更される。
【００６６】
セレクタの項目に「ＯＦＦ」が登録されている場合（Ｓ７４でＯＦＦ）、制御部８は、メインルームの音声出力機能を電源オン状態からスタンバイ状態に移行させる（Ｓ７６）。なお、セレクタの項目に「Ｒｅｍａｉｎ」が登録されている場合、制御部８は、セレクタの変更を実行しない。
【００６７】
制御部８は、メインルームの音声出力機能を制御可能な権限のＩＤを設定登録する（Ｓ７７）。例えば、Ｒｅｌａｘ  Ｍｏｄｅが選択された場合、メインルームの音声出力機能を制御できる権限として「Ｄａｄ」のＩＤが登録される。
【００６８】
続いて、選択されたモードにおいて、ＺＯＮＥ２ルームの音声出力機能におけるセレクタの項目内容を判別する（Ｓ７８）。セレクタの項目にセレクタの名称（ＤＶＤ、ＣＤ、ＴＶ、ラジオ等）が登録されている場合（Ｓ７８でセレクタ）、制御部８は、ＺＯＮＥ２ルームのセレクタを登録されているセレクタに変更する（Ｓ７９）。例えば、Ｄｉｎｎｅｒ  Ｍｏｄｅが選択された場合、ＺＯＮＥ２ルームのセレクタがＣＤセレクタに変更される。
【００６９】
セレクタの項目に「ＯＦＦ」が登録されている場合（Ｓ７８でＯＦＦ）、制御部８は、メインルームの音声出力機能を電源オン状態からスタンバイ状態に移行させる（Ｓ８０）。例えば、Ｎｉｇｈｔ  Ｍｏｄｅが選択された場合、メインルームの音声出力機能が電源オン状態からスタンバイ状態に移行される。なお、セレクタの項目に「Ｒｅｍａｉｎ」が登録されている場合、制御部８は、セレクタを変更しない。
【００７０】
続いて、制御部８は、ＺＯＮＥ２ルームの音声出力機能を制御可能な権限（ＩＤ）を設定登録する（Ｓ８１）。例えば、Ｄｉｎｎｅｒ  Ｍｏｄｅが選択された場合、メインルームの音声出力機能を制御できる権限として「Ｆａｍｉｌｙ」のＩＤ（つまり、家族全員の各ＩＤ）が登録される。
【００７１】
図１１は、ＡＶアンプ１の制御部８の処理を示すフローチャートである。制御部８は、ユーザ操作によって、ＩＤが入力設定されたか否かを判断する（Ｓ９１）。入力された場合（Ｓ９１でＹＥＳ）、制御部８は、ユーザ操作によって、メインルームの音声出力機能を制御する指示が入力されたか否かを判断する（Ｓ９２）。例えば、メインルームのセレクタを変更する指示や、メインルームの音量を調整する指示が入力されたか否かが判断される。入力されない場合（Ｓ９２でＮＯ）、処理はＳ９５に進む。入力された場合（Ｓ９２でＹＥＳ）、制御部８は、現在選択されているモードにおいて、Ｓ９１で入力設定されたＩＤがメインルームの音声出力機能を制御可能か否か判断する（Ｓ９３）。例えば、現在のモードがＲｅｌａｘ  Ｍｏｄｅの場合、メインルームの音声出力機能を制御する権限は「Ｄａｄ」のＩＤに設定登録されている。従って、ＩＤが「Ｄａｄ」のＩＤであれば、メインルームを制御可能な権限のＩＤであると判断され、それ以外のＩＤであれば、メインルームを制御可能な権限のＩＤではないと判断される。
【００７２】
メインルームを制御可能な権限のＩＤではない場合（Ｓ９３でＮＯ）、例えば表示部にエラーを表示し、処理はＳ９５に進む。一方、メインルームを制御可能な権限のＩＤである場合（Ｓ９３でＹＥＳ）、制御部８は、メインルームの音声出力機能を制御する（Ｓ９４）。
【００７３】
制御部８は、ユーザ操作によって、ＺＯＮＥ２ルームの音声出力機能を制御する指示が入力されたか否かを判断する（Ｓ９５）。例えば、ＺＯＮＥ２ルームのセレクタを変更する指示や、ＺＯＮＥ２ルームの音量を調整する指示が入力されたか否かが判断される。入力されない場合（Ｓ９５でＮＯ）、処理はＳ９２に戻る。入力された場合（Ｓ９５でＹＥＳ）、制御部８は、現在選択されているモードにおいて、Ｓ９１で入力設定されたＩＤがＺＯＮＥ２ルームの音声出力機能を制御可能か否か判断する（Ｓ９６）。例えば、現在のモードがＷｅｅｋｄａｙ  Ｍｏｄｅの場合、ＺＯＮＥ２ルームの音声出力機能を制御する権限は「Ｍａｍ」のＩＤに設定登録されている。従って、受信したＩＤが「Ｍａｍ」のＩＤであれば、ＺＯＮＥ２ルームを制御可能な権限のＩＤであると判断され、それ以外のＩＤであれば、ＺＯＮＥ２ルームを制御可能な権限のＩＤではないと判断される。
【００７４】
ＺＯＮＥ２ルームを制御可能な権限のＩＤではない場合（Ｓ９６でＮＯ）、例えば表示部にエラーを表示し、処理はＳ９２に戻る。一方、ＺＯＮＥ２ルームを制御可能な権限のＩＤである場合（Ｓ９６でＹＥＳ）、制御部８は、ＺＯＮＥ２ルームの音声出力機能を制御する（Ｓ９７）。なおＺＯＮＥ３についても同様である。
【００７５】
次に、本発明の別の好ましい実施形態を説明する。本実施形態においては、図１２に示すようなモードテーブルが採用される。このモードテーブルは、例えば、Ｅｖｅｎｉｎｇ  Ｍｏｄｅにおいて、メインルームおよびＺＯＮＥ２ルームのセレクタの項目が、共に（ＴＶ）と登録されており、権限（ＩＤ）が共にＦａｍｉｌｙになっている。すなわち、１つのモードにおいて、権限（ＩＤ）として同じＩＤが登録されているルームは、一方のルームのセレクタの項目がユーザ操作によって変更されると、他のルームのセレクタの項目も同じ内容に変更される。これにより、モードテーブルの変更作業を容易化することができる。
【００７６】
例えば、ユーザ操作によって、Ｅｖｅｎｉｎｇ  ＭｏｄｅのＺＯＮＥ２ルームのセレクタを「ＴＶ」から「ＣＤ」に変更すると、Ｅｖｅｎｉｎｇ  Ｍｏｄｅのメインルームのセレクタも「ＴＶ」から「ＣＤ」に自動的に変更される。同様に、ユーザ操作によって、Ｅｖｅｎｉｎｇ  Ｍｏｄｅのメインルームのセレクタを「ＴＶ」から「ＣＤ」に変更すると、Ｅｖｅｎｉｎｇ  ＭｏｄｅのＺＯＮＥ２ルームのセレクタも「ＴＶ」から「ＣＤ」に自動的に変更される。なお、編集だけでなく、セレクタの操作を同期させるようにしてもよい。
【００７７】
図１３は、本実施形態の処理を示すフローチャートであり、ＡＶアンプ１の制御部８またはリモコン送信機５０の制御部５１の処理である（以下では、単に「制御部」という。）。制御部は、ユーザ操作によってＩＤが入力されたか否かを判断している（Ｓ１０１）。入力された場合（Ｓ１０１でＹＥＳ）、制御部は、入力されたＩＤで選択可能な１又は複数のモードをモードテーブルから読み出す（Ｓ１０２）。制御部は、ユーザ操作によって、編集すべきモードが選択されたか否かを判断している（Ｓ１０３）。選択された場合（Ｓ１０３でＹＥＳ）、制御部は、選択されたモードの各項目を表示部に表示させて、編集モードに移行する（Ｓ１０４）。
【００７８】
制御部は、各ルームの権限（ＩＤ）の項目を変更する指示がユーザ操作によって入力されたか否かを判断する（Ｓ１０５）。入力されない場合（Ｓ１０５でＮＯ）、処理はＳ１０７に進む。入力された場合（Ｓ１０５でＹＥＳ）、制御部は、権限（ＩＤ）を変更する（Ｓ１０６）。
【００７９】
制御部は、各ルームのセレクタの項目を変更する指示がユーザ操作によって入力されたか否かを判断する（Ｓ１０７）、入力されない場合（Ｓ１０７でＮＯ）、処理はＳ１０５に戻る。入力された場合（Ｓ１０７でＹＥＳ）、セレクタを変更する（Ｓ１０８）。制御部は、セレクタを変更したルームの権限（ＩＤ）と同じ権限（ＩＤ）が登録されているルームが他に存在するか否かを判断する（Ｓ１０９）。存在しない場合（Ｓ１０９でＮＯ）、処理はＳ１０５に戻る。存在する場合（Ｓ１０９でＹＥＳ）、制御部は、セレクタを変更したルームの権限（ＩＤ）と同じ権限（ＩＤ）が登録されているルームのセレクタの項目についても、同じセレクタに変更する（Ｓ１１０）。
【００８０】
次に、本発明のさらに別の好ましい実施形態を説明する。本実施形態においては、図１４に示すようなモードテーブルが採用される。このモードテーブルは、例えば、Ｅｖｅｎｉｎｇ  Ｍｏｄｅにおいて、ＺＯＮＥ２ルームのセレクタの項目が、[ｍａｉｎ]と登録されており、ＺＯＮＥ２ルームの権限（ＩＤ）がメインルームの権限（ＩＤ）と同じＦａｍｉｌｙになっている。すなわち、１つのモードにおいて、メインルームの権限（ＩＤ）と同じＩＤが登録されているＺＯＮＥ２ルーム又はＺＯＮＥ３ルームは、メインルームのセレクタの項目がユーザ操作によって変更されると、ＺＯＮＥ２ルーム又はＺＯＮＥ３ルームのセレクタの項目も同じ内容に変更される。これにより、モードテーブルの変更作業を容易化することができる。
【００８１】
例えば、ユーザ操作によって、Ｅｖｅｎｉｎｇ  Ｍｏｄｅのメインルームのセレクタを「ＴＶ」から「ＣＤ」に変更すると、Ｅｖｅｎｉｎｇ  ＭｏｄｅのＺＯＮＥ２ルームのセレクタも「ＴＶ」から「ＣＤ」に自動的に変更される。この場合、Ｅｖｅｎｉｎｇ  Ｍｏｄｅによって、メインルームとＺＯＮＥ２ルームとのセレクタを共に「ＣＤ」に変更できる。
【００８２】
図１５は、本実施形態の処理を示すフローチャートであり、ＡＶアンプ１の制御部８またはリモコン送信機５０の制御部５１の処理である（以下では、単に「制御部」という。）。制御部は、ユーザ操作によってＩＤが入力されたか否かを判断している（Ｓ１１１）。入力された場合（Ｓ１１１でＹＥＳ）、制御部は、入力されたＩＤで選択可能な１又は複数のモードをモードテーブルから読み出す（Ｓ１１２）。制御部は、ユーザ操作によって、編集すべきモードが選択されたか否かを判断している（Ｓ１１３）。選択された場合（Ｓ１１３でＹＥＳ）、制御部は、選択されたモードの各項目を表示部に表示させて、編集モードに移行する（Ｓ１１４）。
【００８３】
制御部は、各ルームの権限（ＩＤ）の項目を変更する指示がユーザ操作によって入力されたか否かを判断する（Ｓ１１５）。入力されない場合（Ｓ１１５でＮＯ）、処理はＳ１１７に進む。入力された場合（Ｓ１１５でＹＥＳ）、制御部は、権限（ＩＤ）を変更する（Ｓ１１６）。
【００８４】
制御部は、メインルームのセレクタの項目を変更する指示がユーザ操作によって入力されたか否かを判断する（Ｓ１１７）、入力されない場合（Ｓ１１７でＮＯ）、処理はＳ１１５に戻る。入力された場合（Ｓ１１７でＹＥＳ）、メインルームのセレクタの項目を変更する（Ｓ１１８）。制御部は、セレクタを変更したメインルームの権限（ＩＤ）と同じ権限（ＩＤ）が登録されているＺＯＮＥ２ルームまたはＺＯＮＥ３ルームが存在するか否かを判断する（Ｓ１１９）。存在しない場合（Ｓ１１９でＮＯ）、処理はＳ１１５に戻る。存在する場合（Ｓ１１９でＹＥＳ）、制御部は、同じ権限（ＩＤ）が登録されているＺＯＮＥ２ルームまたはＺＯＮＥ３ルームのセレクタの項目についても、同じセレクタに変更する（Ｓ１２０）。
【００８５】
なお、モードテーブルにおいて、メインルームのセレクタの項目が変更されたことによって、ＺＯＮＥ２ルームのセレクタの項目が自動的に変更された場合であっても、その後、ＺＯＮＥ２ルームのセレクタの項目をユーザ操作によって別の内容に変更可能としてもよい。
【００８６】
以上、本発明の好ましい実施形態を説明したが、本発明はこれらの実施形態には限定されない。上記のＡＶアンプ１の制御部の処理や、リモコン送信機５０の制御部５１の処理をコンピュータに実行させるためのプログラムおよびこれを記録した記録媒体という形態で提供されてもよい。
【産業上の利用可能性】
【００８７】
本発明は、ＡＶアンプに好適に採用され得る。
【符号の説明】
【００８８】
１              ＡＶアンプ
２              音声切換部
３              増幅部
４              音声切換部
５              増幅部
６              音声切換部
７              増幅部
８              制御部
９              メモリ
１０            表示部
１１            操作部
１００Ａ        ＤＶＤプレーヤ
１００Ｂ        ＣＤプレーヤ
１００Ｃ        ＴＶ受信機
１００Ｄ        ラジオ受信機
２００Ａ        メインスピーカー
２００Ｂ        ＺＯＮＥ２スピーカー
２００Ｃ        ＺＯＮＥ３スピーカー
ＩＮ１          音声入力端子
ＩＮ２          音声入力端子
ＩＮ３          音声入力端子
ＩＮ４          音声入力端子
ＯＵＴ１        メインルーム用スピーカー出力端子
ＯＵＴ２        ＺＯＮＥ２ルーム用スピーカー出力端子
ＯＵＴ３        ＺＯＮＥ３ルーム用スピーカー出力端子
【図１】
2013046265.tif 000003
【図２】
2013046265.tif 000004
【図３】
2013046265.tif 000005
【図４】
2013046265.tif 000006
【図５】
2013046265.tif 000007
【図６】
2013046265.tif 000008
【図７】
2013046265.tif 000009
【図８】
2013046265.tif 000010
【図９】
2013046265.tif 000011
【図１０】
2013046265.tif 000012
【図１１】
2013046265.tif 000013
【図１２】
2013046265.tif 000014
【図１３】
2013046265.tif 000015
【図１４】
2013046265.tif 000016
【図１５】
2013046265.tif 000017